(57)【要約】【課題】コンピュータを用いた処理において、高い操作性を得ることができる制御技術を提供する。【解決手段】複数の処理の内容およびその実行手順を登録した機能設定領域３０１をパーソナルコンピュータのディスプレイ上に表示する。例えば、ファイルａを機能設定領域３０１にドラッグアンドドロップすると、上記設定された複数の処理がファイルａに対して自動的に実行される。この技術によれば、複数の段階を踏んで逐一処理を実行する操作を行う必要はなく、１回の操作を行うだけでよい。したがって、パーソナルコンピュータの操作性を高くすることができる。また、他のアイコン表示をスクロール操作等によって動かしても、機能設定領域３０１の表示位置が固定された表示を行うことで、機能設定領域３０１の利便性を高くすることができる。【選択図】図５
2007304669.tif 000002
【特許請求の範囲】
【請求項１】
デスクトップ画面上に表示された機能設定領域を利用した電子機器の制御方法であって、
デスクトップ画面上に複数の処理を連続して実行する指示を行う領域である機能設定領域を表示する機能設定領域表示ステップと、
前記デスクトップ画面上において、前記機能設定領域と１または複数のファイルとの関連付けを特定する関連付け特定ステップと、
前記関連付けが行われた１または複数のファイルに対して、前記機能設定領域に設定された複数の処理を設定された順番に実行する処理実行ステップと
を備えることを特徴とする電子機器の制御方法。
【請求項２】
前記順番の設定が行われる際に、
デスクトップ画面上におけるそれぞれの処理を示す複数の表示の一つと前記機能設定領域との関連付けを特定する関連付け特定ステップと、
前記関連付けが行われた順番を取得する順番取得ステップと、
前記取得した順番に前記複数の処理を実行させる設定を行う順番設定ステップと
が行われることを特徴とする請求項１に記載の電子機器の制御方法。
【請求項３】
デスクトップ画面上に表示された機能設定領域を利用した電子機器の制御方法であって、
デスクトップ画面上の任意の位置に所定の処理を実行する指示を行う領域である機能設定領域を表示する機能設定領域表示ステップと、
前記デスクトップ画面上において、前記機能設定領域と１または複数のファイルとの関連付けを特定する関連付け特定ステップと、
前記関連付けが行われた１または複数のファイルに対して、前記機能設定領域に設定された処理を実行する処理実行ステップと、
前記デスクトップ画面上における前記機能設定領域以外の表示を変更した場合に、前記機能設定領域の表示位置を動かさずに表示し続ける不変表示ステップと
を備えることを特徴とする電子機器の制御方法。
【請求項４】
電子機器の制御を行うプログラムであって、
コンピュータに、
デスクトップ画面上に複数の処理を連続して実行する指示を行う領域である機能設定領域を表示する機能設定領域表示ステップと、
前記デスクトップ画面上において、前記機能設定領域と１または複数のファイルとの関連付けを特定する関連付け特定ステップと、
前記関連付けが行われた１または複数のファイルに対して、前記機能設定領域に設定された複数の処理を設定された順番に実行する処理実行ステップと
を実行させることを特徴とするプログラム。
【請求項５】
電子機器の制御を行うプログラムであって、
コンピュータに、
デスクトップ画面上の任意の位置に所定の処理を実行する指示を行う領域である機能設定領域を表示する機能設定領域表示ステップと、
前記デスクトップ画面上において、前記機能設定領域と１または複数のファイルとの関連付けを特定する関連付け特定ステップと、
前記関連付けが行われた１または複数のファイルに対して、前記機能設定領域に設定された処理を実行する処理実行ステップと、
前記デスクトップ画面上における前記機能設定領域以外の表示を変更した場合に、前記機能設定領域の表示位置を動かさずに表示し続ける表示ステップと
を実行させることを特徴とするプログラム。
【発明の詳細な説明】
【技術分野】
【０００１】
本発明は、ＧＵＩ(graphical user interface)を利用したパーソナルコンピュータ等の制御技術に係り、特に画面上に所定の処理の実行を指示する機能を備えた領域を設定し、その領域にファイルをドラッグアンドドロップすることで、設定された所定の処理が自動的に実行される技術に関する。
【背景技術】
【０００２】
パーソナルコンピュータ等におけるＧＵＩを用いた操作においては、ファイルに所定の処理を施すための操作として、ツールバー上の機能を示すアイコンに当該ファイルをドラッグアンドドロップする操作、あるいはファイルを選択させておいて処理のメニュー表示を行い、そのメニューを選択する操作等が行われている。しかしながら、これらの方法は、アイコンやメニューの表示が小さく、マウスを用いての操作性が高いとはいえない。この問題を改善する方法として、デスクトップ画面上に表示されているアイコンの表示を大きくし、アイコンを利用してのＧＵＩの操作性を上げる工夫が知られている（例えば、特許文献１参照）。
【０００３】
【特許文献１】特開平１１―２４８１５
【発明の開示】
【発明が解決しようとする課題】
【０００４】
しかしながら、デスクトップ画面上におけるアイコンの表示領域を大きくしたのでは、隣接するアイコン同士が重なってしまい、操作が行い難くなる場合がある。また、「イメージデータにＯＣＲ処理を施してテキストデータ化し、それを印刷する」といった、ファイルに対して複数の処理を連続して施す操作が必要とされる場合がある。このような一連の処理が必要とされる場合、ファイルのドラッグアンドドロップを繰り返し、複数の処理を逐一実行しなければならず、操作が煩雑となる。そこで本発明は、フォルダ単位の処理、特に連続した複数の処理を簡単に行うことができる操作技術を提供することを目的とする。
【課題を解決するための手段】
【０００５】
本発明は、デスクトップ画面上に表示された機能設定領域を利用した電子機器の制御方法であって、デスクトップ画面上に複数の処理を連続して実行する指示を行う領域である機能設定領域を表示する機能設定領域表示ステップと、前記デスクトップ画面上において、前記機能設定領域と１または複数のファイルとの関連付けを特定する関連付け特定ステップと、前記関連付けが行われた１または複数のファイルに対して、前記機能設定領域に設定された複数の処理を設定された順番に実行する処理実行ステップとを備えることを特徴とする。
【０００６】
本発明によれば、デスクトップ画面上に機能設定領域が設定される。機能設定領域は、自動翻訳した後にそれを印刷するといった複数の処理および実行順序が予め設定された領域である。つまり機能設定領域は、従来におけるアイコンを複数複合化（あるいはグループ化）し、さらに各アイコンが示す処理の順番を登録した機能を有する。この機能設定領域に処理の対象となるフォルダをドラッグアンドドロップ等により関連付けると、設定されていた複数の処理が設定されていた順番に従って、順次実行される。本発明によれば、複数のアプリケーションソフトウェアを用いた連続した処理を１回のドラッグアンドドロップ操作によって実行することができる。このため、高い操作性および高い作業効率を得ることができる。機能設定領域の表示形態としては、アイコンにより表示させる形態、線で囲む等して表示させる形態、模様、色彩表示等によって表示する形態を挙げることができる。
【０００７】
本発明の適用対象となる電子機器としては、パーソナルコンピュータ、ワークステーション、メインフレームの端末、情報処理端末、制御機器、工作機械、ゲーム機、計測機器、通信機器、オーディオ機器、ビジュアル機器、オーディオビジュアル機器、これら機器の機能を複数複合した機器（例えば、通信機能を有する情報処理端末等）、その他ＧＵＩを用いた操作を行うことができる電子機器を挙げることができる。本発明は、ＧＵＩ(graphical user interface)を利用した操作が前提であるので、機器を操作するのにディスプレイが必要であるが、ディスプレイは、機器に一体化されていてもよいし、外付けであってもよい。デスクトップ画面というのは、ＧＵＩの操作を行うことができる画面のことをいう。何らかのアプリケーションソフトウェアを開いている画面上であっても、ファイルやフィルダのドラッグアンドドロップ等のＧＵＩの操作を行うことができれば、その画面は、本発明におけるデスクトップ画面として把握される。
【０００８】
機能設定領域を利用した処理は、一つのファイルに対して行うこともできるし、複数のファイルに対して一括して行うこともできる。また、１または複数のファイルを格納したフォルダに対して行うこともできる。機能設定領域に設定される処理としては、印刷、イメージデータのテキスト文書化処理（ＯＣＲ処理）、電子的に付箋を付ける処理、暗号化処理、復号化処理、翻訳処理、データ圧縮処理、データ伸張処理、キーワード検索処理、データ規格の変更処理（例えば、イメージデータの規格の変更）、送信処理（他の端末へのデータ送信や電子メールの送信）、自動バックアップ処理、グラフ化処理、その他文書処理や画像処理を挙げることができる。
【０００９】
機能設定領域とファイルとの関連付けというのは、ＧＵＩを利用して、視覚的に両者の関連付けを行うことをいう。具体的には、所定のファイルを機能設定領域にドラッグアンドドロップする操作や、所定のファイルと機能設定領域とを指定する操作が行われることをいう。  
【００１０】
また、機能設定領域における処理の順番の設定において、デスクトップ画面上におけるそれぞれの処理を示す複数の表示の一つと機能設定領域との関連付けを特定する関連付け特定ステップと、前記関連付けが行われた順番を取得する順番取得ステップと、前記取得した順番に前記複数の処理を実行させる設定を行う順番設定ステップとが行われることが望ましい。
【００１１】
この態様によれば、機能設定領域に対する処理の手順が設定される際に、各処理を行うために利用されるアプリケーションソフトウェアのアイコンを、利用する順番に従って、順次機能設定領域に例えばドラッグアンドドロップする。例えば、デスクトップ画面上において、最初にイメージデータからテキストデータを得るためのＯＣＲソフトのアイコンを機能設定領域にドラッグアンドドロップする。次に翻訳ソフトのアイコンを機能設定領域にドラッグアンドドロップする。こうすることで、機能設定領域にイメージデータのテキストデータ化処理と、そのテキストデータ化された文書の自動翻訳処理とを連続して自動的に実行する機能を設定することができる。
【００１２】
また本発明は、デスクトップ画面上に表示された機能設定領域を利用した電子機器の制御方法であって、デスクトップ画面上の任意の位置に所定の処理を実行する指示を行う領域である機能設定領域を表示する機能設定領域表示ステップと、前記デスクトップ画面上において、前記機能設定領域と１または複数のファイルとの関連付けを特定する関連付け特定ステップと、前記関連付けが行われた１または複数のファイルに対して、前記機能設定領域に設定された処理を実行する処理実行ステップと、前記デスクトップ画面上における前記機能設定領域以外の表示を変更した場合に、前記機能設定領域の表示位置を動かさずに表示し続ける不変表示ステップとを備えることを特徴とする。この発明によれば、デスクトップ画面上におけるアイコンの表示状態を変えたり、画面のスクロールを行ったりしても、機能設定領域の画面上における表示位置は不変であり、そのまま表示がされ続ける。このため、画面のスクロール表示等を行っても、機能設定領域が表示画面上から外れたり、他のアイコンの影に隠れたりすることがなく、機能設定領域が常に利用し易い位置に表示され、高い操作性を維持することができる。なお、上記の発明においては、機能設定領域に設定される処理は１つであってもよい。勿論、機能設定領域に設定される処理が複数であり、さらにその実行の順序を設定することもできる。
【００１３】
デスクトップ画面上における機能設定領域以外の表示を変更するというのは、機能設定領域以外の表示を動かす、新たに表示する、または拡大表示することをいう。対象となる表示としては、アイコン表示、メニュー表示やポップアップ等のウィンドウ表示を挙げることができる。機能設定領域以外の表示を変更する場合の具体例としては、画面をスクロールする、ファイルを開き、中に格納されているフォルダをウィンドウに展開して表示させる、ポップアップウィンドウを表示する、ウィンドウ表示を拡大する、アイコンの整列を行う、といった操作によって生じる画面上における表示の変化を挙げることができる。
【００１４】
本発明は、電子機器の制御を行うプログラムであって、コンピュータに、デスクトップ画面上に複数の処理を連続して実行する指示を行う領域である機能設定領域を表示する機能設定領域表示ステップと、前記デスクトップ画面上において、前記機能設定領域と１または複数のファイルとの関連付けを特定する関連付け特定ステップと、前記関連付けが行われた１または複数のファイルに対して、前記機能設定領域に設定された複数の処理を設定された順番に実行する処理実行ステップとを実行させることを特徴とする。また本発明は、電子機器の制御を行うプログラムであって、コンピュータに、デスクトップ画面上の任意の位置に所定の処理を実行する指示を行う領域である機能設定領域を表示する機能設定領域表示ステップと、前記デスクトップ画面上において、前記機能設定領域と１または複数のファイルとの関連付けを特定する関連付け特定ステップと、前記関連付けが行われた１または複数のファイルに対して、前記機能設定領域に設定された処理を実行する処理実行ステップと、前記デスクトップ画面上における前記機能設定領域以外の表示を変更した場合に、前記機能設定領域の表示位置を動かさずに表示し続ける不変表示ステップとを実行させることを特徴とする。
【発明の効果】
【００１５】
本発明によれば、デスクトップ画面上に表示された機能設定領域を、机上において処理手順を決めておいたトレイに書類を入れるような感覚で利用することができ、ＧＵＩを用いた各種の作業を簡単に且つ効率よく行うことができる。これにより、フォルダ単位の処理、特に連続した複数の処理を行う際の操作性を高めることができる。
【発明を実施するための最良の形態】
【００１６】
１．第１の実施形態
（実施形態の構成）
図１は、本発明を実現するシステムを示すブロック図である。図１に示す構成は、例えばパーソナルコンピュータ、およびそこにインストールされたソフトウェアによって実現される。図１において、入力インターフェース１０１は、マウスに代表されるポインティングデバイスの入力インターフェースである。また、入力インターフェース１０１は、図示しないキーボードからの文字入力信号を受け、それを所定に規格に変換してＧＵＩ制御部１０２に出力する。ＧＵＩ制御部１０２は、入力インターフェース１０１からの信号に基づいて、ポインティングデバイスの操作結果に基づいた表示を行うための制御信号を表示制御部１０３に出力する。また、ＧＵＩ制御部１０２は、ポインティングデバイスが操作されることで指示される処理実行のための指示信号を処理実行部１０８に出力する。
【００１７】
表示制御部１０３は、ＧＵＩ制御部１０２からの信号に基づいて画像表示部１０４に出力する画像制御信号を生成する。また、表示制御部１０３においては、処理登録部１０７に登録された機能設定領域の表示位置を画面上において不変とする表示制御が行われる。画像表示部１０４は、パーソナルコンピュータ等のディスプレイである。処理設定部１０５は、画像表示部１０４の画面上に設定される機能設定領域の設定を行う。記憶部１０６は、アプリケーションソフトウェアを記憶する。アプリケーションソフトウェアには、メールソフト、文書作成ソフト、翻訳ソフト、文書管理ソフト、表計算ソフト、文書解析ソフト、画像処理ソフト、音声解析ソフト、印刷装置等の外部機器のドライバソフト、その他コンピュータにインストールされて、各種の処理を実行することが可能なソフトウェアが含まれる。記憶部１０６としては、例えばハードディスク装置を挙げることができる。
【００１８】
処理登録部１０７は、処理設定部１０５において設定された機能設定領域の設定内容および機能設定領域の表示画面上における位置データを管理する。処理実行部１０８は、処理登録部１０７に登録されている処理を実行する。実行された処理の結果は、表示制御部１０３に送られ、画像表示部１０４に表示される。また、インターフェース部１０９は、処理実行部１０８において実行された処理の結果を図示しない外部機器（例えば印刷装置や通信モデム）に出力する。
【００１９】
（機能設定領域の設定操作）
図２は、図１における画像表示部１０４の画面上に表示されたデスクトップ画面の一例である。図２には、アイコンＡ〜Ｃ、アイコンα、およびアイコンａが表示されている。アイコンＡは、イメージデータからテキストデータを得るためのＯＣＲソフトのアイコンである。アイコンＢは、英語文書の和訳を行う翻訳ソフトのアイコンである。アイコンＣは、暗号化を行うソフトのアイコンである。アイコンαは、機能設定領域の設定を行うことができるソフトのアイコンである。アイコンａは、スキャナによって読み込んだ英文文書のイメージデータのファイルを示すアイコンである。
【００２０】
図３は、図１における画像表示部１０４の画面上に表示されたデスクトップ画面の一例である。図２に示す画面上において、αのアイコンをクリックすると、図３（Ａ）に示すように、機能設定領域３０１が画面上に表示される。機能設定領域３０１の形や寸法は、任意であるが、ここでは、矩形形状のものが画面の中央に表示されるものとする。また、ウィンドウ３０２が開き、その中に「設定開始」、「設定終了」および「キャンセル」のボタンが表示される。
【００２１】
この例においては、機能設定領域３０１に、イメージデータをテキスト化し、次いでそれに英文和訳の機械翻訳をかけて和文に変換し、次いでそれを暗号化する一連の処理の実行機能を設定する。この場合、最初にユーザは、機能設定領域に適当な名称の表示を与える。ここでは、機能設定領域に設定された処理を端的に把握することができる図３（Ｂ）に示すような表示を入力する。この表示の入力は、通常のデスクトップ画面上におけるファイルの名称を変更する場合と同様のマウスの右クリック操作およびキーボードの操作によって行われる。
【００２２】
次に機能設定領域３０１に対する処理の設定操作を行う。この例においては、まずウィンドウ３０２中の「設定開始」ボタンをマウスの左クリック操作によってクリックする。すると、機能設定領域３０１が設定可能状態となる。この状態において、アイコンＡの機能設定領域３０１に対するドラッグアンドドロップ、アイコンＢの機能設定領域３０１に対するドラッグアンドドロップ、アイコンＣの機能設定領域３０１に対するドラッグアンドドロップを順次行う。そして、「設定終了」ボタンをマウスの左クリック操作によってクリックし、設定処理が終了させる。「設定終了」ボタンをクリックすると、ウィンドウ３０２は閉じる。そして、機能設定領域３０１をマウスのドラッグ操作により、画面上の任意の位置へ移動させる。こうして、機能設定領域３０１の設定操作を終了する。なお、機能設定領域３０１の縁にポイント画像を位置させ、ドラッグ操作を行うことで、機能設定領域３０１の大きさは自由に設定することができる。
【００２３】
（設定操作時の動作）
上記機能設定領域３０１の設定操作時における図１に示す構成の動作を説明する。まず、図３（Ｂ）に示す画面上において、機能設定領域３０１に対してアイコンＡのドラッグアンドドロップが行われる際の動作を説明する。この場合、アイコンＡが機能設定領域３０１にドラッグアンドドロップされたことがＧＵＩ制御部１０２において認識され、その結果が処理設定部１０５に出力される。処理設定部１０５は、この出力に基づいて記憶部１０６に記憶されているアイコンＡのプログラムＡ（この場合は、ＯＣＲソフトのプログラム）を読み出し、それを一時保持する。
【００２４】
次に機能設定領域３０１に対してアイコンＢのドラッグアンドドロップが行われると、アイコンＡの場合と同様に、アイコンＢのプログラムＢ（この場合は、英文和訳ソフトのプログラム）が記憶部１０６から処理設定部１０５に読み出される。図４は、処理設定部１０５における設定内容を説明する概念図である。図３（Ｂ）に示す画面上において、ＧＵＩを操作して、アイコンＡの機能設定領域３０１に対するドラッグアンドドロップが行われた後に、アイコンＢの機能設定領域３０１に対するドラッグアンドドロップを行うと、図４に示すように、所定のファイルに対して、プログラムＡの処理を実行し、処理済みファイルＡを得、さらにこの処理済みファイルＡに対してプログラムＢの処理を実行し、処理済みファイルＢを得る手順の設定が処理設定部１０５において行われる。
【００２５】
次に機能設定領域３０１に対してアイコンＣのドラッグアンドドロップが行われると、アイコンＡおよびＢの場合と同様に、アイコンＣのプログラムＣ（この場合は、暗号化ソフトのプログラム）が記憶部１０６から処理設定部１０５に読み出される。この際、図４に示すように、処理済みファイルＢに対して、プログラムＣの処理を実行し、処理済みファイルＣを得る処理手順の設定が処理設定部１０５において行われる。
【００２６】
そして、図３（Ｂ）に示す設定終了のボタンがクリックされると、図４に示す処理の手順を決めるプログラム、およびプログラムＡ〜Ｃが処理設定部１０５から処理登録部１０７に移される。
【００２７】
（機能設定領域を利用した処理）
図５は、図３（Ｂ）に示す機能設定領域３０１の設定処理が終了し、機能設定領域３０１を利用できる状態における画像表示部１０４の画面上に表示されたデスクトップ画面の一例である。ここでは、ファイルａの英文イメージデータに図４に示すような一連の処理を一括して行う例を説明する。この場合、ユーザは、図５（Ａ）に示す画面上において、マウスを操作し、ファイルａを機能設定領域３０１にドラッグアンドドロップする。すると、ファイルａに対して、プログラムＡの処理が実行され、その結果得られるファイルに対して、プログラムＢの処理が実行され、さらにその結果得られるファイルに対して、プログラムＣが実行される。
【００２８】
図６は、この処理の内容を説明する概念図である。上記の操作を行うと、図６に示すように、ファイルａである英文イメージデータファイルに対して、まずＯＣＲソフトによるイメージデータのテキスト化処理が実行され、テキストデータ化された英文テキスト文書ファイルが得られる。次いで、この英文テキスト文書ファイルに対して和訳処理が実行され、和文テキスト文書ファイルが得られる。次いで、この和文テキスト文書ファイルに対して暗号化処理が実行され、暗号化された和文文書ファイルが得られる。暗号化された和文文書ファイルは、図５（Ｂ）に示すようにファイルｂとして、画面上に表示される。この時、ファイルｂが機能設定領域３０１を利用して得たファイルである旨を判別し易いように、ファイルｂのアイコン表示の見た目が工夫されていることが望ましい。例えば、アイコンｂに処理済みと表示され、その表示が点滅するといった識別し易い表示とすることが望ましい。
【００２９】
またこの処理においては、暗号化処理の際に、英文テキスト文書の暗号化も行われる。図５（Ｂ）のアイコンｂ’が暗号化された英文文書ファイルである。翻訳前のテキスト文書も暗号化することで、後の翻訳チェック等における作業を効率化することができる。またこの際、アイコンｂおよびアイコンｂ’を格納したフォルダを表示してもよい。こうすることで、機能設定領域３０１を利用した処理の結果を一括管理することができる。
【００３０】
上述したファイルａに対する処理の実行は、機能設定領域３０１にファイルａをドラッグアンドドロップするだけでよいので、処理の対象とするファイルが複数ある場合や複数の処理を続けて実行する場合に高い利便性を得ることができる。またここでは、機能設定領域３０１を一つ設ける場合を例に挙げて説明を行ったが、機能設定領域を複数設定することも可能である。
【００３１】
（機能設定領域を利用した処理時の動作）
図６に示す処理時における動作の一例を説明する。図５（Ａ）に示す画面上において、ファイルａを機能設定領域３０１にドラッグアンドドロップすると、その旨が図１のＧＵＩ制御部１０２において認識され、その結果が処理実行部１０８に送られる。この結果を受けて、処理実行部１０８は、処理登録部１０７に登録されている機能設定領域３０１（図５参照）の機能を読み出す。つまり、機能実行部１０８は、機能登録部１０７に登録されている図４に示す一連の処理を実行するプログラム群およびその実行手順を制御するプログラムを読み出す。次いで、ドラッグアンドドロップされたファイルａに対して、図４に示す一連の処理が処理実行部１０８において実行される。すなわち、処理実行部１０８において、英文イメージデータであるファイルａに対して、図６に示す処理が実行される。また、図６では図示省略されているが、英文テキスト文書ファイルに対する暗号化処理も適当なタイミングで処理実行部１０８において実行される。
【００３２】
和文テキスト文書のデータおよび英文テキスト文書のデータを暗号化した暗号化文書ファイルが得られたら、そのアイコン表示情報が処理実行部１０８から表示制御部１０３に送られ、画像表示部１０４に、図５（Ｂ）に示すようにファイルｂ（暗号化された和文テキスト文書ファイルのアイコン）、およびアイコンｂ’（暗号化された英文テキスト文書ファイルのアイコン）が表示される。
【００３３】
（機能設定領域の不変表示）
例えば、図５に示すアイコンａがフォルダであり、内部に複数のイメージデータファイルが収められているとする。図７は、画像表示部１０４の画面上に表示されたデスクトップ画面の一例である。この場合、まず図５（Ａ）に示されるフォルダａのアイコンを左クリックする。すると、図７に示すようにウィンドウ３１１が開き、フォルダａの内のファイルａ１…ａｎが展開して表示される。またこの際、ウィンドウ３１１は、機能設定領域３０１を避けるようにして表示される。こうすることで、機能設定領域３０１を常に固定位置に表示することができる。そして、常に機能設定領域３０１を利用し易い状態に維持することができる。
【００３４】
ここで、機能設定領域３０１をウィンドウ３１１にドラッグアンドドロップすると、機能設定領域３０１がウィンドウ３１１内に表示され、さらにウィンドウ３１１を全画面表示すると、図７（Ｂ）に示す画面表示となる。この際、機能設定領域がドラッグアンドドロップされた位置を避けるようにして、ファイル群３１２の表示が再配列される。なお、ファイル群３１２に複数のファイルを格納したフォルダが含まれている場合、さらにそのフォルダを展開表示し、そこに機能設定領域３０１をドラッグアンドドロップし、表示させることも可能である。
【００３５】
ファイル群３１２の数が多い場合、その全ては画面上に表示することはできない。その場合、スクロールバー３１３を用いた画面スクロール操作を行うことで、図７（Ｂ）では見えていないファイルを表示させることになる。この画面スクロール操作の際、ファイル群３１２はスクロール操作に従って、上下に一斉に移動するが、機能設定領域３０１は、動かず同じ位置に表示され続ける。また、このスクロール表示において、ファイル群３１２に含まれるファイルのアイコン表示と機能設定領域３０１の表示が重なる際には、機能設定領域３０１の表示が優先され、重なるファイルのアイコンは機能設定領域３０１の背後に隠れるように表示状態が制御される。
【００３６】
機能設定領域３０１をスクロール表示に関係なく、表示させ続けることで、スクロール表示を行って、目的とするファイルを見つけた場合に、直ぐに機能設定領域３０１を利用することができる。仮に、図７（Ｂ）に示す表示画面において、画面のスクロール処理を行った場合に、機能設定領域３０１も動いてしまうと、スクロールにより機能設定領域３０１が見えなくなってしまう場合があり、探していたファイルを見つけた後に、機能設定領域３０１に対するドラッグアンドドロップが簡単に行えなくなる。
【００３７】
（機能設定領域の不変表示時の動作）
図７（Ａ）に示すウィンドウ３１１が表示される場合に、その表示領域が機能設定領域３１１と重ならないように制御される動作の一例を説明する。この場合、図１に示す構成において、ＧＵＩ制御部１０２は、ウィンドウ３１１の表示領域と機能設定領域３０１の表示領域とが重ならない範囲において、ウィンドウ３１１の画面上における大きさを調整する。
【００３８】
図７（Ａ）に示す画面表示の状態において、機能設定領域３０１をウィンドウ３１１内にドラッグアンドドロップした際における動作の一例を説明する。この場合、図１に示す構成において、入力インターフェース１０１からＧＵＩ制御部１０２に機能設定領域３０１のウィンドウ３１１へのドラッグアンドドロップを示す信号が出力される。ＧＵＩ制御部１０２は、この信号に基づいて表示制御部１０３に機能設定領域３０１の表示位置を変更させるための信号を出力する。表示制御部１０３は、この信号に基づいて機能設定領域３０１の表示位置を変更し、それを画像表示１０４に表示させる。この際、表示制御部１０３は、ウィンドウ３１１内における機能設定領域３０１の表示位置を、図７（Ａ）に示す画面上における位置（この場合は、画面右上付近）に略合うように位置決めする。また、表示制御部１０３は、ファイル群ａ１…ａｎの中に、機能設定領域３０１の表示位置と重なる位置に存在するファイルがあった場合、それを機能設定領域３０１と重ならない位置に表示させる再配列処理を実行する。また、表示制御部１０３から処理登録部１０７にウィンドウ３１１内に機能設定領域３０１の関連付けが行われた旨の信号が出力され、処理登録部１０７はそれを認識する。
【００３９】
次に図７（Ａ）に示すウィンドウ３１１を全画面表示する操作が行われると、全画面表示を行なう処理が表示制御部１０３において実行され、画像表示部１０４に図７（Ｂ）に示す画面が表示される。この状態において、ファイル群３１２から適当なファイルが選択され、それが機能設定領域３０１にドラッグアンドドロップされると、図４に示す処理が当該ファイルに対して実行される。
【００４０】
次に図７（Ｂ）に示す画面表示において、表示されていないファイル群３１２を表示させるためのスクロール表示が行われた際における動作の一例を示す。この場合、図１に示す構成において、入力インターフェース１０１からスクロール表示を指示する操作が行われた旨の信号がＧＵＩ制御部１０２に出力される。ＧＵＩ制御部１０２は、それを認識し、表示制御部１０３にスクロール表示を行わせるための制御信号を出力する。表示制御部１０３は、この信号を認識するとともに処理登録部１０７に登録されている機能設定領域３０１に関する情報を参照する。処理登録部１０７には、図７（Ｂ）に示す画面中に機能設定領域３０１が関連付けられている旨のデータが記憶されているので、上記の動作において表示制御部１０３は、機能設定領域３０１が図７（Ｂ）に示す画面中の所定の位置に表示されている旨を認識する。機能設定領域３０１の表示位置は、他の表示を動かしても画面中において動かさない設定とされているので、表示制御部１０３は、図７（Ｂ）に示す画面のスクロール表示において、機能設定領域３０１を動かさず、ファイル群３１２だけを移動させる画像表示制御を行う。このスクロールの際、機能設定領域３０１と重なるファイル群３１２のアイコン表示は、機能設定領域３０１の影に隠れるように表示の制御が行われる。こうして、図７（Ｂ）に示す画面をスクロール表示した場合に、ファイル群３１２がスクロール表示され、一方において機能設定領域３０１の表示は動かず不変な位置に表示され続ける制御が行われる。
【００４１】
２．第２の実施形態
例えば、図７（Ｂ）に示す画面表示において、ファイル群３１２の中から複数を選択し、それを同時に機能設定領域３０１にドラッグアンドドロップし、各ファイルに対して図６に示す処理を順次実行することもできる。この場合、選択されたファイルそれぞれに対して、図６に示す処理が実行される。また、複数のファイルを格納したフォルダを機能設定領域３０１にドラッグアンドドロップし、そのフォルダ内に格納されているファイルそれぞれに対して所定の処理を実行することもできる。
【００４２】
３．第３の実施形態
図６に示す処理において、暗号化の代わりに印刷処理を行う場合の例を説明する。この場合、図５（Ａ）に示す表示画面上において、機能設定領域３０１に英文文書のイメージデータのファイルａをドラッグアンドドロップする。機能設定領域３０１にドラッグアンドドロップされた英文イメージデータのファイルａは、まずＯＣＲソフトによってテキストデータに変換され、次に和文翻訳ソフトによって和文に自動翻訳される。そして、この和文翻訳された和文テキストデータが、図示しない印刷装置から印刷される。この場合、英文を光学スキャナで読み取ったイメージデータのファイルを機能設定領域にドラッグアンドドロップするだけで、そのテキストデータ化、そしてテキストデータ化された英文文書の和文への翻訳、さらに和文に翻訳された文書の印刷が自動的に行われる。
【００４３】
この場合、図１に示す構成において、インターフェース部１０９に図示しない印刷装置が接続される。そして、和文に翻訳された文書データの印刷データが、インターフェース部１０９から図示しない印刷装置に送られ、印刷が実行される。
【００４４】
４．第４の実施形態
第１〜第３の実施形態においては、処理を施す対象であるファイルと機能設定領域との関連付けを行う手法として、当該ファイルの機能設定領域へのドラッグアンドドロップを利用した例を説明した。同様の機能を得る手法として、処理を施す対象のファイルをマウスのクリック操作によって選択し、それをマウスの他のクリック操作によって機能設定領域に送る指示を出す例を挙げることができる。これは、マウスのクリック操作を利用したファイルのフォルダ間の移動操作等に利用されている技術と同じ仕組みを利用して実現することができる。
【００４５】
５．第５の実施形態
機能設定領域とその機能は、異なるフォルダ毎（すなわち、異なるウィンドウ毎）に設定することもできる。以下、この態様の一例を説明する。図８は、デスクトップ画面の表示の一例を示す画面表示図である。
【００４６】
図８（Ａ）は、フォルダｂが選択され、その内部に格納されているデータが画面８０１に表示されている状態を示している。この例においては、フォルダｂが選択されると、フォルダｂに格納されている下位フォルダｂ１とｂ２が画面８０１に表示される。フォルダｂには、機能設定領域８０２が設定されている。機能設定領域８０２の設定に関しては、第１の実施形態で説明したのと同じである。機能設定領域８０２には、図６に示す一連の処理が設定されている。図８に示すデスクトップ画面において、フォルダｂ１および／またはフォルダｂ２を機能設定領域８０２にドラッグアンドドロップすると、フォルダｂ１および／またはフォルダｂ２に対して、図６に示す処理（詳細は、第１の実施形態を参照）が実行される。
【００４７】
図８（Ｂ）は、（Ａ）におけるフォルダｂ１が選択され、その内部に格納されているデータが画面８０３に表示されている状態を示している。この例においては、フォルダｂ１が選択されると、フォルダｂ１に格納されているファイルｂ１１、ｂ１２およびｂ１３が画面８０３に表示される。フォルダｂ１には、機能設定領域８０４が設定されている。機能設定領域８０４には、データを暗号化する処理と、またこのデータ（暗号化前のデータ）を印刷する処理とが設定されている。図９は、機能設定領域８０４に設定された処理の内容を説明する概念図である。この設定によれば、例えば文書ファイルを機能設定領域８０４にドラッグアンドドロップすると、この文書ファイルの内容が印刷され、同時にこの文書ファイルを暗号化したデータが作成される。このような一連の処理を１回のドラッグアンドドロップで行えることは、編集した文書を紙媒体および電子媒体として保存する作業等を行う場合等に便利となる。なお、機能設定領域８０４の設定の方法は、第１の実施形態で説明したのと同じである。
【００４８】
図８に示すように、機能設定領域をフォルダ毎に設定した場合、各フォルダに対応した機能設定領域の座標情報と、関連付けられた機能の情報とが図１に示す処理登録部１０７に登録される。所定のフォルダが選択されると、処理実行部１０８は、この情報に基づき、当該フォルダに設定されている機能設定領域の機能を認識する。
【００４９】
本実施形態において示したように、フィルダ毎に異なる機能を有する機能設定領域を設定することで、各フォルダに特有の処理をフォルダ毎に設定することができる。このため、処理内容に応じてフォルダを作成し管理している場合等にユーザの利便性を高くすることができる。なお図８においては、フォルダｂとその下位フォルダｂ１に異なる機能の機能設定領域を設定した例を示したが、同位であるフォルダａとフォルダｂ（あるいはフォルダｂ１とフォルダｂ２）に異なる機能を有する機能設定領域を設定することもできる。
【００５０】
６．他の実施形態
図５（Ａ）に示す画面表示において、通常は機能設定領域３０１を表示させず、図示しないキーボードのファンクションキーを押した際に機能設定領域３０１を表示させることもできる。また、複数のファンクションキーに処理内容の異なる機能設定領域を登録しておき、所定の処理を実行する際に、該当するファンクションキーを押し、機能設定領域を画面上に呼び出すようにしてもよい。また、機能設定領域３０１を上下に分割し、上側の領域を第１の処理手順を実行する領域、下側を第２の処理手順を実行する領域と設定し、使い分けることもできる。
【００５１】
機能設定領域を利用した処理は、パーソナルコンピュータの操作に限定されず、ワークステーションの操作、計測機器の操作、携帯型情報処理端末や携帯電話の操作に適している。例えば、計測機器であれば、計測したデータのグラフ化処理、そしてグラフ化したデータの解析処理といった連続した処理が必要とされる場合がある。このような場合、これらの処理およびその順番を機能設定領域に設定しておけば、ＧＵＩを利用した一回の操作によって、煩雑な操作を必要とせずにデータ処理を一括して行うことができる。また、携帯型情報処理端末や携帯電話は、表示画面の面積が小さいので、アイコンを何回も移動させるようなＧＵＩの操作は、煩雑となる。しかしながら、本発明の機能設定領域は、任意の大きさのものを任意の位置に設定することが可能であり、さらに複数の処理を１回の操作により実行することができるので、表示画面の小さい電子機器の操作に適している。
【産業上の利用可能性】
【００５２】
本発明は、パーソナルコンピュータに代表されるＧＵＩを用いての操作が可能な電子機器に利用することができる。
【図面の簡単な説明】
【００５３】
【図１】発明を利用した電子機器の動作を実現するための構成の一例を示すブロック図である。
【図２】発明を利用したデスクトップ画面の表示の一例を示す画面表示図である。
【図３】発明を利用したデスクトップ画面の表示の一例を示す画面表示図である。
【図４】発明を利用した処理の流れの一例を示す概念図である。
【図５】発明を利用したデスクトップ画面の表示の一例を示す画面表示図である。
【図６】発明を利用した処理の流れの一例を示す概念図である。
【図７】発明を利用したデスクトップ画面の表示の一例を示す画面表示図である。
【図８】デスクトップ画面の表示の一例を示す画面表示図である。
【図９】機能設定領域に設定された処理の内容を説明する概念図である。
【符号の説明】
【００５４】
３０１…画面上に表示された機能設定領域、３１２…画面上に表示されたファイル群。
【図１】
2007304669.tif 000003
【図２】
2007304669.tif 000004
【図３】
2007304669.tif 000005
【図４】
2007304669.tif 000006
【図５】
2007304669.tif 000007
【図６】
2007304669.tif 000008
【図７】
2007304669.tif 000009
【図８】
2007304669.tif 000010
【図９】
2007304669.tif 000011